(57)【要約】【課題】  カレンダーの使用者毎の希望や実態に合わせたレイアウトを備え、カレンダーに手書きにより書き込む手間を省くことができ、インテリアとしてカレンダーの価値を下げることなく使用することができるオリジナルなカレンダーを提供する。【解決手段】  所定枚数のカレンダー用紙が綴じ合わせられているカレンダーにおいて、１ヶ月分の月表示部が表示されているカレンダー用紙と、複数月分の月表示部が表示されているカレンダー用紙とが混在して綴じ合わせられ、前記カレンダー用紙に、複数に区分けされた日付表示欄を有する月表示部と、前記日付表示欄の空白部に、前記カレンダーの使用者が所望する個別の表示が予め付されていることを特徴とする。【選択図】        図１
2005178008.tif 000002
【特許請求の範囲】
【請求項１】
所定枚数のカレンダー用紙が綴じ合わせられているカレンダーにおいて、
１ヶ月分の月表示部が表示されているカレンダー用紙と、複数月分の月表示部が表示されているカレンダー用紙とが混在して綴じ合わせられ、前記カレンダー用紙に、複数に区分けされた日付表示欄を有する月表示部と、前記日付表示欄の空白部に、前記カレンダーの使用者が所望する個別の表示が予め付されていることを特徴とするカレンダー。
【請求項２】
前記複数月分の月表示部が表示されているカレンダー用紙には、異なる大きさのレイアウトにより月表示部が表示されていることを特徴とする請求項１記載のカレンダー。
【請求項３】
前記月表示部は、予め前記カレンダーの使用者の予定情報が表示され、前記予定情報の表示が多い月表示部の日付表示欄は、他の日付表示欄の領域に比べて大きなレイアウトで表示してなることを特徴とする請求項１記載のカレンダー。
【発明の詳細な説明】
【技術分野】
【０００１】
本発明は、所定枚数のカレンダー用紙が切り取り可能に綴じ合わせられているカレンダーに関する。
【背景技術】
【０００２】
従来、所定枚数のカレンダー用紙が切り取り可能に綴じ合わせられているカレンダーでは、各カレンダー用紙に対して、同じレイアウトからなる日付表示欄を有する月表示部が印刷されているものなどが使用されている。（例えば、特許文献１及び２、参照）
これらのカレンダーは、不特定多数の人に使用されることを前提として作製されているので、例えば、予め国が定める国民の祝日などの休日に該当する日などについて、その日付の色を赤色として印刷するなどして、すぐに休みであることがわかるように各種の表示が施されている。
また、カレンダーの日付表示欄の余白部なども、同一サイズの領域を等しく設けている場合が多い。
【特許文献１】特開平８−２０７９５６
【特許文献２】特開平９−３０１５０
【０００３】
そして、カレンダーの使用者は、カレンダーの日付表示欄の余白部に対して、思い思いにカレンダーの使用者毎に所望の予定情報を書き込んだり、記念日などの特別な日などにマークを付けたりして使用する場合が多い。
しかしながら、各々のカレンダーの使用者における予定は、１年単位でも、一ヶ月単位でも、一週間単位でも、満遍なく同じボリュームの予定があることは少なく、スケジュールで忙しい時期や暇な時期など、いろいろである。
また、たとえ同じボリュームの予定があるとしても、重要な予定や、絶対に忘れてはならない予定については、目立つように大きく記載したいという場合もあるが、日付表示欄の余白部の制約を受けることになる。
【０００４】
通常、カレンダーは、個人毎の予定に関係なくレイアウトが印刷されている。
市販されているカレンダーには、種々のレイアウトが印刷されているカレンダーがあるが、使用の目的に応じて、例えば、ビジネスに適するように、平日のスケジュールを記入しやすいように構成されたビジネス用カレンダーや、休日のスケジュールを記入しやすいように構成されたプライベート用カレンダーなどがある。
したがって、ビジネスとプライベートの両方の生活が充実している人は、これらのカレンダーをそれぞれ一冊づつ購入して使い分けることにもなり、不便であるという問題がある。
【０００５】
また、１冊のカレンダーに家族の予定を記入する場合などには、日付表示欄の余白部では、記入するスペースが足りないこともあるが、市販されているカレンダーでは、カレンダーの使用者毎の希望や実態に合わせたレイアウトのカレンダーを提供できないという問題がある。
【発明の開示】
【発明が解決しようとする課題】
【０００６】
本発明は、カレンダーの使用者毎の希望や実態に合わせたレイアウトを備え、カレンダーに手書きにより書き込む手間を省くことができ、インテリアとしてカレンダーの価値を下げることなく使用することができるオリジナルなカレンダーを提供する。
【課題を解決するための手段】
【０００７】
本発明のカレンダーは、所定枚数のカレンダー用紙が綴じ合わせられているカレンダーにおいて、１ヶ月分の月表示部が表示されているカレンダー用紙と、複数月分の月表示部が表示されているカレンダー用紙とが混在して綴じ合わせられ、前記カレンダー用紙に、複数に区分けされた日付表示欄を有する月表示部と、前記日付表示欄の空白部に、前記カレンダーの使用者が所望する個別の表示が予め付されていることを特徴とする。
【０００８】
また、本発明のカレンダーは、前記複数月分の月表示部が表示されているカレンダー用紙には、異なる大きさのレイアウトにより月表示部が表示されていることを特徴とする。
【０００９】
更に、本発明のカレンダーは、前記月表示部は、予め前記カレンダーの使用者の予定情報が表示され、前記予定情報の表示が多い月表示部の日付表示欄は、他の日付表示欄の領域に比べて大きなレイアウトで表示してなることを特徴とする。
【発明の効果】
【００１０】
本発明のカレンダーは、カレンダーの使用者における各月毎の予定量に対応させて、カレンダー用紙に表示させる月表示部の日付表示欄の領域を変えられ、更にカレンダーの使用者が所望する個別の表示が予め付されているので、予定が多い月の表示を大きく、目立つ状態で表示させることができ、また、カレンダーの使用者が、カレンダーに手書きにより書き込む手間を省けるという効果がある。
【００１１】
また、本発明のカレンダーは、異なる大きさのレイアウトにより月表示部が表示されているので、表示されている月を比較して、重要な予定が表示されている月を目立たせることができるという効果がある。
【００１２】
更に、本発明のカレンダーは、予定情報の表示が多い月表示部の日付表示欄は、他の日付表示欄の領域に比べて大きなレイアウトで表示してあるので、重要な予定が見やすいという効果がある。
【発明を実施するための最良の形態】
【００１３】
以下、図面を参照しながら本発明の実施形態を詳述する。
図１は、本発明の実施形態に係るカレンダーにおいて、１月及び２月の月表示部が表示されたカレンダー用紙を最上位とした状態を示す平面図、図２は、本発明の実施形態に係るカレンダーにおいて、３月の月表示部が表示されたカレンダー用紙を最上位とした状態を示す平面図、図３は、本発明の実施形態に係るカレンダーにおいて、１月及び２月の月表示部が表示されたカレンダー用紙を切り取った状態を示す平面図、図４は、本発明の実施形態に係るカレンダーにおいて、１月及び２月の月表示部が表示されたカレンダー用紙の裏面図、図５は、図１のＡ−Ａ線断面図、図６は、本発明の実施形態に係るカレンダーにおいて、２月のカレンダー用紙を切り離し、剥離紙を剥離した状態を示す断面図である。
【００１４】
本発明の実施形態に係るカレンダー１は、ベースシートとなる台紙２と、台紙２の上方に重ねられて設けられた複数枚のカレンダー用紙３を有するカレンダー部とから構成されている。
カレンダー部の複数枚のカレンダー用紙３は、上端辺縁部で接着剤４により接着され、更にカレンダー部の最下位のカレンダー用紙３における上端辺縁部と台紙２とが接着剤５により接着され一体化されている。
【００１５】
図１には、１枚のカレンダー用紙３に、１月の月表示部６と２月の月表示部７とが大小の異なるサイズで２つ並んで表示されている状態が示されている。
１月の月表示部６と２月の月表示部７とは、カレンダー用紙に形成されている切り取り用ミシン目８，９によりカレンダー片１０ａ，１０ｂとして切り取ることができるように構成されている。
【００１６】
２つの月表示部６，７には、複数に区分けされた日付表示欄１１ａ，１１ｂを有し、日付表示欄１１ａ，１１ｂの空白部に、それぞれカレンダーの使用者が所望する個別の表示が予め付されている。
カレンダーの使用者が所望する個別の表示とは、例えば、使用者の予定情報１２ａ，１２ｂ、使用者の休日情報１３ａ，１３ｂ、使用者が所望する画像または写真１４ａ，１４ｂなどがある。
【００１７】
ここで、使用者の予定情報１２ａ，１２ｂとしては、例えばプライベートな旅行予定、結婚式や誕生会などのパーティーや会食の予定、コンサートや演劇などの鑑賞予定、などがある。
また、使用者の休日情報１３ａ，１３ｂとしては、特に国民の祝日や休日以外の平日を休日とする勤務体系としている者において、年間を通じて休日が決まっている場合には、予めそのカレンダーの使用者における休日を表示しておく。
また、使用者が所望する画像または写真１４ａ，１４ｂとしては、カレンダーの使用者の趣味や希望などに応じて、例えば富士山などの風景、動植物、人物などの写真や絵画を表示しておくことで、使用者が望む様々なデザインを有するカレンダーを使用者毎に提供できるようにしてある。
【００１８】
図１に示すように、１月の月表示部６を２月の月表示部７よりも大きなサイズとして表示したのは、１月の月表示部６に使用者の予定情報１２ａがより多く表示されているので、これらの表示が見やすいように構成されている。
したがって、表示されている文字もより大きな文字で表示されている。
【００１９】
また、１月の月表示部６と２月の月表示部７とが並んで表示されているカレンダー用紙３の下位には、図２に示すような、３月の月表示部１４だけが表示されているカレンダー用紙３が重ねられている。
この実施形態では、カレンダーの使用者において、３月に他の月と比較してより多くの予定が表示されているため、１月及び２月のように１枚のカレンダー用紙３に複数の月表示部を並べて表示しないで、３月の月表示部１４だけを表示することで、より大きな表示で予定情報が施されるように構成されている。
図示の例では、３月の予定情報として、会社研修や新婚旅行などの重要な予定や大きなセレモニーなどがあるので、使用者がカレンダー用紙を見た際に確認しやすいようにしてある。
【００２０】
通常、複数枚のカレンダー用紙が重ねられて構成してある一般的なカレンダーでは、各カレンダー用紙に表示されている月表示部が同一サイズのレイアウトを有しているが、本発明の実施形態に係るカレンダー１では、各カレンダー用紙３毎に予め表示されているカレンダーの使用者における予定情報の数やその重要性などを考慮して、予定情報の表示が多い月表示部の日付表示欄は、他の日付表示欄の領域に比べて大きなレイアウトで表示されてある。
したがって、１月から１２月までの各月の月表示部を各カレンダー用紙３に対して、どのような構成でレイアウトするのかについては、カレンダー使用者毎の月毎の予定情報量などに応じて種々の構成がある。
【００２１】
図３には、カレンダー１の１月及び２月の月表示部が表示されたカレンダー用紙３をそれぞれ切り取り、その下位にある３月の月表示部が表示されたカレンダー用紙３の一部が見えている状態の図が示されているが、３月の月表示部は１月及び２月の月表示部と比較して日付表示欄の領域も広く、予定表示も大きく示されており、使用者にとってより目視で確認しやすくなっている。
【００２２】
また、カレンダー１には、図１に示すように、台紙２の表面の所定部分に、カレンダーの使用者名などの個人名を表示しておくことが好ましい。
このカレンダーの使用者名を表示しておくことで、誰が使用するためのカレンダーであるのかがわかると共に、そのカレンダーを見ればその使用者のスケジュールを知ることもできて、今後のスケジュール予定を組んだりする場合に好ましい。
【００２３】
また、カレンダー用紙３の日付表示欄に表示されている、カレンダーの使用者が所望する個別の表示は、カレンダーを作製する段階で全て表示されて、年末に翌年分のカレンダーが使用者に渡されるようにすることで、各々の使用者毎が自分の予定情報などが予め表示されたパーソナルなカレンダーを年初から使用できるようにすることが好ましい。
【００２４】
カレンダー１における各カレンダー用紙３の裏面の所定部分には、図４乃至図６に示すように、再剥離性粘着剤１５が帯状に塗布され、この再剥離性粘着剤１５の塗布面には、剥離紙１６が剥離可能に設けられている。
再剥離性粘着剤１５は、貼り付けと剥離とを繰り返して行うことが可能な公知の粘着剤であり、再剥離性粘着剤１５の塗布する部分は、各カレンダー用紙３の略全面でもよいし、一部分の所定領域でもよい。
【００２５】
次に、カレンダー１の使用方法を説明する。
カレンダー１の使用方法としては、カレンダー用紙に形成されている切り取り用ミシン目８，９により、その月のカレンダー片を切り取り、使用者が便利なところや物などに貼付して使用する方法と、カレンダー１のままの状態で使用者が好むところに立て掛けて使用し、経過した月のカレンダー片を切り取り用ミシン目から切り取って破棄する方法とがあり、使用者の好みに応じてどのように使用してもよい。
【００２６】
予めその月の月表示部が表示されたカレンダー用紙又はカレンダー片を、使用者が便利なところや物などに貼付して使用する方法としては、例えば、図１に示すように、切り取り用ミシン目８，９により、その月のカレンダー片を切り取る。
図１では、１月と２月の月表示部が表示されたカレンダー片をそれぞれ切り取ってあるが、１月だけを使用する場合には、１月の月表示部が表示されたカレンダー用紙３のカレンダー片１０ａだけを切り取る。
そして、図６に示すように、カレンダー用紙３の裏面から剥離紙１６を剥離して、カレンダー片１０ａを使用者が望む場所や物などに再剥離性粘着剤１５により貼付する。
特に、サイズの小さなカレンダー片の場合には、使用者が持ち歩く手帳などに貼付することで、どこでも、いつでも予定を確認することができる。
【図面の簡単な説明】
【００２７】
【図１】本発明の実施形態に係るカレンダーにおいて、１月及び２月の月表示部が表示されたカレンダー用紙を最上位とした状態を示す平面図である。
【図２】本発明の実施形態に係るカレンダーにおいて、３月の月表示部が表示されたカレンダー用紙を最上位とした状態を示す平面図である。
【図３】本発明の実施形態に係るカレンダーにおいて、１月及び２月の月表示部が表示されたカレンダー用紙を切り取った状態を示す平面図である。
【図４】本発明の実施形態に係るカレンダーにおいて、１月及び２月の月表示部が表示されたカレンダー用紙の裏面図である。
【図５】図１のＡ−Ａ線断面図である。
【図６】本発明の実施形態に係るカレンダーにおいて、２月のカレンダー用紙を切り離し、剥離紙を剥離した状態を示す断面図である。
【符号の説明】
【００２８】
１  カレンダー
２  台紙
３  カレンダー用紙
４，５  接着剤
６  １月の月表示部
７  ２月の月表示部
８，９  切り取り用ミシン目
１０ａ，１０ｂ  カレンダー片
１１ａ，１１ｂ  日付表示欄
１２ａ，１２ｂ  予定情報
１３ａ，１３ｂ  休日情報
１４ａ，１４ｂ  画像または写真
１５  再剥離性粘着剤
１６  剥離紙
【図１】
2005178008.tif 000003
【図２】
2005178008.tif 000004
【図３】
2005178008.tif 000005
【図４】
2005178008.tif 000006
【図５】
2005178008.tif 000007
【図６】
2005178008.tif 000008